Podtech/llm-jp-corpus-v4-ja_patent huggingface dataset:
(57)【要約】【課題】  収納スペースが小さくて済み、携帯に便利なハサミを実現する。【解決手段】  柄に指掛環がなく、使用時に柄に一部が係留された指掛環形成片の柄への係留形態を変化させて指掛環を形成する構成とした。【選択図】図１
2014014472.tif 000002
【特許請求の範囲】
【請求項１】
柄に指掛環がなく、使用時に柄に一部が係留された指掛環形成片の柄への係留形態を変化させて指掛環を形成することを特徴とするハサミ。
【請求項２】
指掛環がない柄の指が当たる面に指掛環形成片を収納する溝を設け、その溝には刀身に近い側の端から指掛環形成片で指掛環を形成するに適当な位置まで底に柄の両側面に通ずる開口部を設け、さらに、そこから開口部を指が当たる面の方向に鋭角的に延長し、開口部を指掛環形成片の端に設けた指掛環形成片つまみ部の移動領域とし、また、溝の刀身とは反対の側の端の底にもう一つの指掛環形成片つまみ部を収める開口部を設け、当該溝に、力を加えると容易に湾曲し、その力を取り除くと元に戻る材質でできた板状の指掛環形成片を収納し、使用時には当該指掛環形成片の刀身に近い端のつまみ部を開口部に沿って移動させ前記鋭角的に延長した部分に留めて指掛環形成片で指掛環を形成することを特徴とするハサミ。
【発明の詳細な説明】
【技術分野】
【０００１】
収納スペースが小さく、携帯に便利なハサミに関する。
【背景技術】
【０００２】
一般にハサミには二つの柄にそれぞれ指掛環があり、指掛環部の幅がハサミの各部の幅の中で最も大きく収納スペースを制約する原因となっている。
【発明の概要】
【発明が解決しようとする課題】
【０００３】
収納スペースが小さくて済み、携帯に便利なハサミを実現する。
【課題を解決するための手段】
【０００４】
上記の課題を解決するために、本発明（請求項１）のハサミは、柄に指掛環がなく、使用時に柄に一部が係留された指掛環形成片の柄への係留形態を変化させて指掛環を形成する構成とした。
【０００５】
本発明（請求項２）のハサミは、指掛環がない柄の指が当たる面に指掛環形成片を収納する溝を設け、その溝には刀身に近い側の端から指掛環形成片で指掛環を形成するに適当な位置まで底に柄の両側面に通ずる開口部を設け、さらに、そこから開口部を指が当たる面の方向に鋭角的に延長し、開口部を指掛環形成片の端に設けた指掛環形成片つまみ部の移動領域とし、また、溝の刀身とは反対の側の端の底にもう一つの指掛環形成片つまみ部を収める開口部を設け、当該溝に、力を加えると容易に湾曲し、その力を取り除くと元に戻る材質でできた板状の指掛環形成片を収納し、使用時には当該指掛環形成片の刀身に近い端のつまみ部を開口部に沿って移動させ前記鋭角的に延長した部分に留めて指掛環形成片で指掛環を形成する構成とした。
【発明の効果】
【０００６】
使用時に指掛環を形成し、不使用時には指掛環をなくすことができるので、収容スペースが小さくて済む。ハサミは、切断時に大きな力がかかるが、これは柄を押さえる力であり、指掛環にはハサミを開くときに力がかかるがこれは大きなものではなく、大きな支障にはならない。
【図面の簡単な説明】
【０００７】
【図１】本発明のハサミの実施例の使用時の平面図である。
【図２】本発明のハサミの実施例の指掛環収納時の平面図である。
【図３】本発明のハサミの実施例の使用時の側面図である。
【図４】本発明のハサミの実施例の指掛環収納時の側面図である。
【図５】本発明のハサミの実施例の指掛環形成片の平面図である。
【図６】本発明のハサミの実施例の使用時の柄の部分の断面図である。
【図７】図６におけるＡ−Ａ線断面図である。
【図８】図６におけるＢ−Ｂ線断面図である。
【発明を実施するための形態】
【０００８】
以下、本発明の実施の形態を図に基づいて説明する。
【０００９】
指掛環形成片４は、力が加えられていない状態では直線状であるが、両端から力が加えられると湾曲しその力が除かれると元の直線状に戻る材料で作るものとする。また、指掛環形成片４は、ねじれ方向の力に対しても、力が加えられた場合にはねじれ、その力が除かれた場合には元の状態に戻るものとする。
指掛環形成片４を柄に設けた溝に収納する際には、指掛環形成片つまみ部５を柄の溝に沿って嵌め込んだ上で溝に直角に取り付ける。
【００１０】
刀身に近い側の指掛環形成片つまみ部５を指掛環形成片つまみ部ひっかけ部６に留めると、指掛環形成片４は直線に戻ろうとする力が働き指掛環形成片つまみ部５は指掛環形成片つまみ部ひっかけ部６に押し付けられ半固定され指掛環が形成され、通常のハサミと同じように使用できる。
【符号の説明】
【００１１】
１  刀身
２  開閉中心軸
３  柄
４  指掛環形成片
５  指掛環形成片つまみ部
６  指掛環形成片つまみ部ひっかけ部
【図５】
2014014472.tif 000003
【図１】
2014014472.tif 000004
【図２】
2014014472.tif 000005
【図３】
2014014472.tif 000006
【図４】
2014014472.tif 000007
【図６】
2014014472.tif 000008
【図７】
2014014472.tif 000009
【図８】
2014014472.tif 000010
(57)【要約】      （修正有）【課題】立体的な窓を表現することにより簡単に室内空間をアレンジでき、思い出の場所・一度は行ってみたい場所等の写真・印刷物を活用することにより、あたかもその窓から見える景色として楽しむことができる。【解決手段】立体的にデザインされた窓枠ステッカーと、私物のポスターや写真の印刷物を入れた袋状にした透明フィルムからなり、その透明フィルムを窓枠ステッカーの内側に貼りつけて、挿入した私物のポスターや写真の印刷物が、窓ガラスから見た景色となるような奥行き感を表現することを特徴とするインテリアステッカー。【選択図】なし【特許請求の範囲】
【請求項１】
立体的にデザインされた窓枠ステッカーと、私物のポスターや写真の印刷物を入れた袋状にした透明フィルムからなり、その透明フィルムを窓枠ステッカーの内側に貼りつけて、
挿入した私物のポスターや写真の印刷物が、窓ガラスから見た景色となるような奥行き感を表現することを特徴とするインテリアステッカー。
【発明の詳細な説明】
【技術分野】
【０００１】
本発明はトリックアートとしての窓を演出するステッカーである。これを用いることにより、実際に窓があるかのように室内における奥行きのある空間と、現在・未来・過去との時空をアレンジすることが可能となるインテリアステッカーに関するものである。
【背景技術】
【０００２】
従来のインテリア雑貨として使用されているウォールステッカーの概念は、室内を平面的に装飾することを目的としたステッカーであった。また、従来のウォールステッカーでは、私物のポスターや写真等の印刷物を自在に組み合わせた時空を演出するステッカーではなく、癒しの効果もうすいものであった。
【発明の概要】
【発明が解決しようとする課題】
【０００３】
本発明は壁面に奥行きのある立体的な窓を表現することにより室内空間を変化させることが可能となり、私物のポスターや写真等の印刷物をあたかもその窓の外に見える景色として演出することができるものである。窓の少ない部屋の壁等に手軽に装着出来るステッカーを貼るだけで室内空間と時空をアレンジでき、インテリアステッカーとして活用できる。
【課題を解決するための手段】
【０００４】
上記目的を達成するために
（イ）立体的にデザインされた窓枠ステッカーの裏側に袋状にした透明フィルムを予めセットする。
（ロ）私物のポスター・写真等の印刷物を袋状にした透明フィルムに挿入する。
（ハ）窓を表現する壁等の場所に上記（イ）（ロ）でセットされたものを貼りつける。
以上（イ）（ロ）（ハ）の構成により印刷物が窓ガラスから見た景色となり、奥行きのある窓を演出しようとするものである。
【発明の効果】
【０００５】
本発明により、私物のポスターや写真等の印刷物が窓の外の景色のように見える効果を作り出すことができ、精神面での癒しの空間により、ストレス解消を目的としたものである。思い出の場所、一度は行ってみたい場所等の写真、印刷物を窓から見える景色とする事で、瞬時に日常的な空間から異空間に入り込め、心の中にある悩み等を他人事のように客観的に観られるという大きな効果があり、ストレスを解消する手段の一つとして大きな役割がある。心の安らぎを与えてくれる神経伝達物質のひとつであるセロトニンは、美しい風景や空間による視覚の刺激によっても分泌促進作用があると医学的に言われている。
また、窓の少ない部屋等で取り付けることにより、トリックアートとして窓を表現することができ、特別な工事を必要とせず、手軽に独自の室内装飾空間を楽しむことが可能となる。
【発明を実施するための形態】
【０００６】
インテリアステッカーとして室内空間を得ようとするとき、透明フィルム及び窓枠ステッカーは、手軽さと奥行き感や立体感を演出する工夫が必要となる。例えば、窓枠ステッカーは、窓枠全体をおおう四角状や、窓枠と相似の枠形状、丸形状など種々の形状がある。透明フィルムは、立体的にデザインされた窓枠ステッカーの内側、または、裏側に貼りつけて、窓ガラスから見た景色となるような奥行き感を表現する。
透明フィルムの作用としては、ポスターや写真等の印刷物があたかも窓ガラスを通して見える景色となるような奥行き感を演出する。また影や格子等のデザインを加えることにより、より奥行き感を演出することも可能となる。
もうひとつの作用として写真等の印刷物の表面を保護する目的がある。袋状にすることにより、印刷物を透明フィルムに挿入することができ、手軽に印刷物を活用することが可能となる。
窓枠ステッカーの作用としては、実際に窓があるかのように見える立体感を演出する。また、用途・目的に合わせ粘着力の強度を適合させた粘着剤を窓枠ステッカーに塗布することで何度でも自在に貼りかえることが可能となり、あらゆる場面での演出が可能となる。
ステッカーの大きさはいろいろであり、窓のデザインや形により洋風にも和風にも応用することが出来る。
窓枠ステッカーは複数の大きさの種類があり、例えば、長方形の場合、縦横の比率は、一定の割合に基づいたものである。
【実施例】
【０００７】
立体的にデザインされた窓枠ステッカーの裏側に袋状にした透明フィルムを予めセットする。私物のポスター・写真等の印刷物を袋状にした透明フィルムに挿入する。窓を表現する場所に上記でセットされたものを貼りつける。
【産業上の利用可能性】
【０００８】
個人宅、店舗、ディスプレイ等あらゆる室内だけでなく、この技法を用いて外壁にも活用出来る。
(57)【要約】【課題】傘をさしているときには常に肘を曲げて傘の重さや雨風の強さに応じた握力と腕力を必要とし、特に傘をさしている手で荷物を持つ場合や長時間の使用時には腕に疲労を強いられ、傘を正しく安定支持することができない。そこで、本発明は、肘を曲げることなく正しく安定支持し疲労の軽減ができる傘を提供することを課題とする。【解決手段】歩行姿勢における肘を伸ばした状態で傘の安定支持を行う手首装着具４を設け、より正しく安定支持を行う取っ手５とシャフト角度調整具３を設けることで問題点を解決した。【選択図】図１
2014014522.tif 000002
【特許請求の範囲】
【請求項１】
手首装着具４を設けることで、肘を伸ばした状態で取っ手５を握らずに傘を手首で支えることを可能にしたことを特徴とする傘。
【請求項２】
請求項１記載と同時利用することでより一層の安定支持を行うことを特徴とする取っ手５。
【請求項３】
傘を適切な位置に角度調節を行うことを特徴とするシャフト角度調節具３。
【請求項４】
請求項１記載と請求項２記載と請求項３記載を設けたことを特徴とする傘。
【請求項５】
請求項１記載と請求項２記載と請求項３記載を設けたことを特徴とする取っ手。
【発明の詳細な説明】
【技術分野】
【０００１】
本発明は、傘を使用する際の安定支持と腕の疲労軽減を容易に実現するための傘に関するものである。
【背景技術】
【０００２】
従来の傘には、シャフトの最端に取っ手が設けられ、使用する際は肘を曲げ片手で取っ手を握るものがある。
また、傘のシャフトや取っ手にグリップやヒモを設け、安定支持を施したものがある（例えば、特許文献1参照。）。
また、傘の取っ手を握ることなく一時的に傘を支持できるように、取っ手に手首を通せる空間を施したものがある（例えば、特許文献2参照。）。
【先行技術文献】
【特許文献】
【０００３】
【特許文献１】特開2002-078517
【特許文献２】特開2000-175715
【発明の概要】
【発明が解決しようとする課題】
【０００４】
従来技術によれば、傘をさしているときには常に肘を曲げて傘の重さや雨風の強さに応じた握力と腕力を必要とし、特に傘をさしている手で荷物を持つ場合や長時間の使用時には腕に疲労を強いられ、傘を正しく安定支持することができない。
そこで、本発明は、肘を曲げることなく正しく安定支持し疲労の軽減ができる傘を提供することを課題とする。
【課題を解決するための手段】
【０００５】
以上の課題を解決するためには、歩行姿勢において、容易に安定支持できる支持点を設けることと、その支持点を増やすことが必要である。
請求項１の本発明は、手首装着具４を設けることで、肘を伸ばした状態で取っ手５を握らずに傘を手首で支えることを可能にしたことを特徴とする傘である。請求項２の本発明は、請求項１記載と同時利用することでより一層の安定支持を行うことを特徴とする取っ手５である。請求項３の本発明は、傘を適切な位置に角度調節を行うことを特徴とするシャフト角度調節具３である。
請求項４の本発明は、請求項１記載と請求項２記載と請求項３記載を設けたことを特徴とする傘である。
また、請求項５の本発明は、請求項１記載と請求項２記載と請求項３記載を設けたことを特徴とする取っ手である。
【発明の効果】
【０００６】
上述のように、本発明によれば、次のようなことが出来るようになった。手首装着具４を使用することにより、肘を曲げる力と握力を使わずに傘を容易に支持することが出来るので腕や手の疲労軽減効果があり、さらにその腕の手先を使うことが出来る。
手首装着具４の使用と同時に取っ手５を握ることにより、傘の支持点が増えより傘を正しく安定して使用できるという効果があり、さらにその腕の手先で手荷物を持つ際には肘を曲げる力を使わずに済むため、腕の疲労軽減効果がある。
また、取っ手５を胴体に挟み込んだり、シャフト７を肩で支えることで、傘の支持点を増やすことができるため、特に強風雨の際に正しく安定して使用できるという効果がある。
【図面の簡単な説明】
【０００７】
【図１】本発明の実施方法を示した左側面から見た図である（実施例１）。
【図２】本発明の実施方法を示した背面から見た図である（実施例２）。
【図３】本発明の実施方法を示した手首装着具４と、取っ手５、固定具６を示す上面から見た図である（実施例３）。
【図４】本発明の実施方法を示した左側面から見た腕に装着する図である（実施例４）。
【発明を実施するための形態】
【０００８】
傘をさす際の腕疲労を軽減し安定支持をするという目的を、肘を伸ばした歩行姿勢のままで傘を支持でき、あらゆる方向からの力を支えられる支持点を傘の重さや雨風の強さに応じて多くできる形態で実現した。
【実施例】
【０００９】
以下、本発明の実地形態について説明する。
図１は、本発明の実施方法を示した左側面から見た図であって、１〜９は図２、図３と同様である。
【００１０】
図において、１はシャフト固定具であり、傘のシャフトと取っ手を固定するものである。
【００１１】
図において、２はシャフト角度固定解除ボタンであり、シャフト角度調整具３によりシャフト７と取っ手５の角度を変更する際に押下すると角度調整が可能となる。
【００１２】
図において、３はシャフト角度調整具であり、傘のシャフト７と取っ手５の角度を変更し固定できるようになっている。
【００１３】
図において、４は手首装着具であり、傘の重さとあらゆる方向からの力を手首で支えられるよう、手首を覆うように湾曲した形状になっている。また、装着を容易にするため、手首を通す空間を設けている。
【００１４】
図において、５は取っ手であり、肘を伸ばした状態で握りやすい形状になっている。また、手首装着具４で傘を支えているときは手先を使うことが出来るように空間部分を設けている。
【００１５】
図において、６は固定具であり、手首装着具４の設置位置を変更し固定することができるようになっている。
【００１６】
図において、７はシャフトであり、従来の傘のシャフトと同様である。疲労軽減および強風雨に耐えられるよう、軽量で高強度のものとする。
【００１７】
図において、８は傘布であり、従来の傘の傘布と同様である。雨風を防ぐものとする。
【００１８】
図において、９は傘骨であり、従来の傘の傘骨と同様である。疲労軽減および強風雨に耐えられるよう、軽量で高強度のものとする。
【符号の説明】
【００１９】
１  シャフト固定具
２  シャフト角度固定解除ボタン
３  シャフト角度調節具
４  手首装着具
５  取っ手
６  固定具
７  シャフト
８  傘布
９  傘骨
【図１】
2014014522.tif 000003
【図２】
2014014522.tif 000004
【図３】
2014014522.tif 000005
【図４】
2014014522.tif 000006
(57)【要約】【課題】低コストで放射性汚染物質を処理することが可能な放射性汚染物質の処理方法を提供する。【解決手段】放射性汚染物質Ｒを含む水Ｗを凝固させ、氷Ｉの状態で保存する。氷の状態で保管することで、放射性汚染物質から発せられる放射線を氷によってある程度遮蔽することができるため、放射性汚染物質によって外部が汚染されることを軽減することができ、また、氷の状態で取り扱うことができるため、取り扱いが容易となる。放射性汚染物質を含む水を冷却して凝固させ、凝固物を氷点下となる地域へ運送し、氷点下となる地域の地中に保管することができる。放射性汚染物質を含む水として、放射性汚染物質を除染した際に生じる洗浄排水を処理することができる。放射性汚染物質として、使用済み燃料棒及び制御棒を処理することができる。放射性汚染物質を含む水をそのまま氷点下となる地域へ運送し、自然に凝固させることもできる。【選択図】図１
2014052290.tif 000002
【特許請求の範囲】
【請求項１】
放射性汚染物質を含む水を凝固させ、氷の状態で保存することを特徴とする放射性汚染物質の処理方法。
【請求項２】
前記放射性汚染物質を含む水を、氷点下となる地域に運送して凝固させることを特徴とする請求項１に記載の放射性汚染物質の処理方法。
【請求項３】
前記放射性汚染物質を含む水は、除染によって生じる洗浄排水であることを特徴とする請求項１又は２に記載の放射性汚染物質の処理方法。
【請求項４】
前記放射性汚染物質は、燃料棒又は／及び制御棒であることを特徴とする請求項１、２又は３に記載の放射性汚染物質の処理方法。
【発明の詳細な説明】
【技術分野】
【０００１】
本発明は、放射性汚染物質の処理方法に関し、特に、放射性汚染物質を除染した際に生じる洗浄排水、燃料棒、制御棒等を処理する方法に関する。
【背景技術】
【０００２】
今般の福島第一原発事故によって生じた放射性汚染物質の除染が進められている。この除染によって生じた洗浄排水は、排水処理が施され、線量が確認された後放流されている。
【０００３】
一方、原子力発電所にて発生した使用済みの燃料棒及び制御棒は、そのまま保管されるか、再処理されてガラス固化体として保管されている。
【発明の概要】
【発明が解決しようとする課題】
【０００４】
除染によって生じる洗浄排水は膨大な量に上るため、排水処理には莫大なコストがかかるという問題があった。また、使用済みの燃料棒及び制御棒を放射能漏れが生じないように保管するためのスペースを確保することは容易ではなく、ガラス固化体とするためにもコストを要していた。
【０００５】
そこで、本発明は、低コストで放射性汚染物質を処理することを目的とする。
【課題を解決するための手段】
【０００６】
上記目的を達成するため、本発明は、放射性汚染物質の処理方法であって、放射性汚染物質を含む水を凝固させ、氷の状態で保存することを特徴とする。
【０００７】
そして、本発明によれば、放射性汚染物質を含む水を凝固させ、氷の状態で保管することで、放射性汚染物質から発せられる放射線を氷によってある程度遮蔽することができるため、放射性汚染物質によって外部が汚染されることを軽減することができる。これに加え、氷の状態で取り扱うことができるため、取り扱いが容易となる。
【０００８】
前記放射性汚染物質を含む水を、氷点下となる地域に運送して凝固させることができる。これにより、放射性汚染物質を含む水の量が増大し、凝固に要するコストの増大が見込まれる場合に、処理コストを抑えることが可能となる。
【０００９】
上記放射性汚染物質の処理方法において、前記放射性汚染物質を含む水として、放射性汚染物質を除染した際に生じる洗浄排水を処理することができる。また、前記放射性汚染物質として、燃料棒又は／及び制御棒を処理することもできる。
【発明の効果】
【００１０】
以上のように、本発明によれば、低コストで放射性汚染物質を処理することができる。
【図面の簡単な説明】
【００１１】
【図１】本発明に係る放射性汚染物質の処理方法の一例を説明するためのフローチャートであって、（ａ）は放射能汚染物質を含む水の冷却工程、（ｂ）は運搬工程、（ｃ）は保管工程を各々示す。
【発明を実施するための形態】
【００１２】
次に、本発明を実施するための形態について図面を参照しながら詳細に説明する。
【００１３】
図１は、本発明に係る放射性汚染物質の処理方法の一実施の形態を示し、この方法では、まず、放射性汚染物質Ｒを含む水Ｗを冷却して凝固させて氷Ｉとする。この際、取扱い及び保管を容易にするため、同一の大きさの立方体状に凝固させることが好ましい。尚、放射能の除染水をｐＨ９．０以上とすることで、油性廃棄物に付着した放射能も除染可能となり、このような油性廃棄物を除染した際に発生した除染水も対象とすることができる。また、ｐＨ１１．０以上の水で放射能関連機器の除染を行い、その後、除染水を凝固させ、氷の固体として−２０℃以下の状態で保管することが好ましい。
【００１４】
ここで、放射性汚染物質を含む水として、放射性汚染物質を除染した際に生じる洗浄排水を処理することができる。また、放射性汚染物質として、使用済み燃料棒及び制御棒を処理することができる。尚、これらの処理対象物はあくまで一例であって、他の放射性汚染物質を処理することも可能である。
【００１５】
次に、図１（ｂ）に示すように、放射性汚染物質を冷却して得られた氷Ｉをタンカー等によって氷点下となる地域へ運送する。氷点下となる地域としては、北極や南極等の寒冷地のように一年中氷点下となる地域であることが好ましい。
【００１６】
そして、図１（ｃ）に示すように、氷点下となる地域に氷Ｉを保存するための地下保管庫に氷Ｉを並べて保管する。
【００１７】
以上のように、本発明によれば、放射性汚染物質を氷内に収容することで、放射性汚染物質から発せられる放射線を氷によってある程度遮蔽することができるため、放射性汚染物質によって外部が汚染されることを軽減することができ、低コストで放射性汚染物質を処理することができる。
【００１８】
尚、上記実施の形態においては、放射性汚染物質を含む水を冷却して凝固させたが、放射性汚染物質を含む水を、そのままタンカー等で氷点下となる地域に運送し、この地域において自然に凝固させることもできる。この場合には、冷却コストを低減することができるため、より一層処理コストの低減に繋がる。また、凝固させた際の凝固物としての形状は立方体に限らず、適宜変更することができる。
【図１】
2014052290.tif 000003
(57)【要約】【課題】現在のタブレット式携帯電話は、ＩＴの殆どの機能を有しているが、オフィス文書の作成等の作業となると、そのサイズ故に非常に困難であり、現実的でない。そのため通常のパーソナルコンピュータが使用されるが、タブレット式携帯電話が殆どのＩＴ機能を持つ中、限られた作業の為に個人が高価でメンテナンスが煩雑なパーソナルコンピュータを用意するのは非経済的である。【解決手段】ＣＰＵはタブレット式携帯電話５が十分な性能を有するので、本体１を介してサイズが十分なキーボード３、ディスプレイ４を利用して作業を行う。処理速度を向上したければ、本体１のメモリを使用し、容量の大きいデータは、保存は本体１の補助記憶装置を、転送はタブレット式携帯電話の回線ではなく本体１のＬＡＮ端子から光回線を利用する。【選択図】図２
2014052990.tif 000002
【特許請求の範囲】
【請求項１】
本体にディスプレイ、キーボード、マウス、タブレット式携帯電話との接続端子を有することを特徴とするタブレットステーション。
【請求項２】
前記本体は、メモリ、補助記憶装置、ＵＳＢ端子、ＬＡＮ端子、ＣＤ、ＤＶＤドライバを内蔵することを特徴とする請求項１記載のタブレットステーション。
【発明の詳細な説明】
【技術分野】
【０００１】  この発明は、タブレット式携帯電話の機能拡張に関する。
【背景技術】
【０００２】  従来のタブレット式携帯電話は、図１に示すように、本体にタッチパネルが設けられたものである。
【発明の概要】
【発明が解決しようとする課題】
【０００３】  しかしながら、以上の技術によれば、オフィス文書の作成等の作業には、画面及び入力装置のサイズが小さすぎて困難であるし、そのためにパーソナルコンピュータを用意するのは非経済的である。
そこで、この発明は、タブレット式携帯電話でオフィス文書等を作成するのに十分で、かつ高価であるパーソナルコンピュータを不要とする環境を提供することを課題とする。
【課題を解決するための手段】
【０００４】  以上の課題を解決するために、第一発明は、本体にディスプレイ、キーボード、マウス、タブレット式携帯電話との接続端子を有することを特徴とするタブレットステーションである。
また、第二発明は、本体にメモリ、補助記憶装置、ＵＳＢ端子、ＬＡＮ端子、ＣＤ、ＤＶＤドライバを内蔵することを特徴とするタブレットステーションである。
【発明の効果】
【０００５】  第一発明によれば、十分なサイズの画面、入力装置が提供され、オフィス文書作成等の作業がし易い。
第二発明によれば、必要に応じ性能を向上させる事が出来る。
【図面の簡単な説明】
【０００６】
【図１】従来技術を示す正面図である。
【図２】この発明の一実施形態を示す正面図である。
【発明を実施するための形態】
【０００７】  この発明の一実施形態を、図２に示す。
中核を成すのはタブレット式携帯電話５。これに本体１を接続端子２を通して接続する。本体１の接続端子にキーボード３（必要であればマウス）、ディスプレイ４を接続する。本体１にはタブレット式携帯電話の性能を底上げする為に、メモリ、補助記憶装置、ＵＳＢ端子、ＬＡＮ端子、ＣＤ、ＤＶＤドライバが内蔵される。
【０００８】「実施形態の効果」
この実施形態によれば、本体部により性能の向上が可能であり、処理速度の増加、大容量の情報の保存、携帯電話の回線ではなく光回線による送受信を実現し、結果としてパーソナルコンピュータが不要となり経済的である。
「他の実施形態」
図の実施形態では、デスクトップの形式であったが、他の実施形態では、ノートパソコン形式のものでも良い。
【符号の説明】
【０００９】１  本体                      ２  タブレット式携帯電話接続端子
３  キーボード                ４  ディスプレイ
５  タブレット式携帯電話
【図１】
2014052990.tif 000003
【図２】
2014052990.tif 000004
(57)【要約】【課題】従来の植木鉢は１個それぞれが単体として利用され、複数の植木鉢を連結して使用することができなかった。本発明は以上の問題点を解決し、複数の植木鉢を連結して、自分の好みの形を作る植木鉢を提供する。【手段】植木鉢の表面に複数の並行した溝を設ける。溝に連結具の一端を挿入し、他の植木鉢の溝に連結具の他端を挿入する。連結具を介して複数の植木鉢を連結する。本発明は以上の構成よりなり、複数の植木鉢を連結しながら全体を自分の好みの形状に組み立てることができる。【選択図】図１
2014121307.tif 000002
【特許請求の範囲】
【請求項１】
植木鉢の表面に複数の並行した溝を設け、溝に連結具の一端を挿入し、他の植木鉢の溝に連結具の他端を挿入し、連結具を介して複数の植木鉢を連結させることにより自分の好みの形状に組み立てることができる連結する植木鉢。
【発明の詳細な説明】
【技術分野】
【０００１】  本発明は、表面に複数の溝を設けた植木鉢であって、連結具を溝に差し込み、連結具を介して他の植木鉢と連結させ、複数の植木鉢を連結するこができる植木鉢に関するものである。
【背景技術】
【０００２】  従来より植木鉢は円筒型や箱型があるが、いずれも一個が単体として独立して利用されている。
【発明の概要】
【発明が解決しようとする課題】
【０００３】    従来の植木鉢は一個それぞれが単体として利用され、複数の植木鉢を連結して使用することができなかった。
本発明は以上の問題点を解決し、複数の植木鉢を連結して、自分の好みの形の植木鉢を作ることができる。
【課題を解決すための手段】
【０００４】  植木鉢の表面に複数の並行した溝を設ける。溝に連結具の一端を挿入し、他の植木鉢の溝に連結具の他端を挿入する。連結具を介して複数の植木鉢を連結する。本発明は以上の構成よりなり、複数の植木鉢を連結しながら全体を自分の好みの形状に組み立てることができる。
【発明の効果】
【０００５】    本発明は、植木鉢を単体としても利用することができて、さらに複数の植木鉢を合体させながら集合体の植木鉢とすることができる。複数の植木鉢を組み立てるときは、全体を自分の好みの形状に作ることができる。
【図面の簡単な説明】
【０００６】
【図１】本発明の斜視図
【図２】本発明の縦断面図
【図３】本発明の使用状態を示す斜視図
【図４】本発明の使用状態を示す縦断面図
【図５】本発明の連結具の斜視図
【発明の実施するための形態】
【０００７】以下、本発明の実施形態を図について説明する。
イ、  上面を開口した箱型の植木鉢の容器（１）の側面部と底部の表面に、横長状の帯状からなる支軸板（２）を並行して複数設ける。
ロ、  各支軸板（２）の表面に支軸板（２）の横幅より幅広の長尺状の表板（３）を、支軸板（２）に沿って設ける。
ハ、  表板（３）と隣接する表板（３）の間にはすき間となる横溝（４）を設ける。
ニ、  連結具（６）は、短尺軸（６ａ）の両端に軸の直径より大きい頭部（６ｂ）を有する。
本発明は以上の構成よりなる。
本発明を利用する場合は２個以上の本発明の植木鉢を隣接させ、連結具（６）の頭部（６ｂ）を隣接した植木鉢のそれぞれの横溝（４）に挿入し、隣接した植木鉢を連結する。以上により、複数の植木鉢を連結する。
【符号の説明】１、容器  ２、支軸板  ３、表板  ４、横溝  ５、下溝  ６、連結具
【図１】
2014121307.tif 000003
【図２】
2014121307.tif 000004
【図３】
2014121307.tif 000005
【図４】
2014121307.tif 000006
【図５】
2014121307.tif 000007
(57)【要約】      （修正有）【課題】一般家庭で個人が使用でき、濡れたハンカチも簡単に乾燥させることのできる、小型で、軽量、省エネルギータイプのタオル加温器を提供する。【解決手段】内面１０にアルミ蒸着した樹脂材料の本体７、上蓋２、ベース台９よりなる密閉容器の内部に、赤外線ヒーター５が取付けられ、赤外線ヒーター５の内側にタオル６が保持される構造とした。【選択図】図２
2014121506.tif 000002
【特許請求の範囲】
【請求項１】
内面にアルミ蒸着した樹脂材料の密閉容器の内部に赤外線ヒーターが取付けられ、そのヒーターの内側にタオルが保持された構造のタオル加温器。
【発明の詳細な説明】
【技術分野】
【０００１】本発明は軽量で外観形状を多様化できる樹脂容器と赤外線の反射率が高いアルミと赤外線ヒーターの組み合わせを利用したタオル加温器に関する。
【背景技術】
【０００２】赤外線の反射率が高いアルミと熱透過性の高い赤外線ヒーターを利用し、高効率良くタオルを暖めることができる。機械の小型化も可能になる。
【先行技術文献】
【特許文献】
【０００３】
【特許文献１】特開平１１−３１８７５０号公報
【発明の概要】
【発明が解決しようとする課題】
【０００４】従来の蒸しタオル器、タオルウォーマーは、業務用の大きな機器しか無かった。
一般家庭用、個人用の小型、軽量、省エネルギータイプのタオル加温器が存在していなかった。
【課題を解決するための手段】
【０００５】本発明のタオル加温器は、内面にアルミ蒸着した樹脂材料の密閉容器の内部に赤外線ヒーターが取付けられ、そのヒーターの内側にタオルが保持された構造である。赤外線の反射率が高いアルミと熱透過性の高い赤外線ヒーターを組み合わせて使用することによって、一般家庭用、個人用の小型、軽量、省エネルギータイプのタオル加温器を提供することで上記課題を解決する。
【発明の効果】
【０００６】本発明は、従来の大型の業務用蒸しタオル器から、小型化、軽量化、省エネルギー化するために内面にアルミ蒸着した樹脂材料の密閉容器内部に赤外線ヒーターが取付けられ、その内側にタオルが保持され、赤外線ヒーターの熱によってタオルが加温される。アルミ蒸着面によって赤外線が反射されるため、熱の過熱効率が良い。樹脂材料による容器、赤外線ヒーター、アルミ蒸着を利用しているため小型化、軽量化、省エネルギー化、外観形状の多様化が可能となった。温度調整器で希望の温度にセットすることによって、手軽に一般家庭、職場、個人で加温されたタオルが利用できるようになる。タオルに水を含ませて加温することによって、蒸しタオルとしても利用できる。また、濡れたハンカチの乾燥にも利用できる。同じ構造で赤外線ヒーターを複数本使用した省エネルギー型の大型タオル加温器も可能となる。
【図面の簡単な説明】
【０００７】
【図１】本発明の外観図
【図２】本発明のＡ−Ａ断面図（上蓋開閉時の断面図）
【図３】本発明のＢ−Ｂ断面図
【発明を実施するための形態】
【０００８】本発明の蒸しタオル器は図１に示される外観であるが、円柱状以外の外観形状も考えられる。軽量化と外観形状多様化のために本体７、上蓋２、水受け皿８、ベース台９は樹脂材料を使用している。本体７、上蓋２、水受け皿８、ベース台９のタオルが保持される容器内面にはアルミ蒸着１０の加工がされている。タオル６がハンガー３に吊下げられ、温度調整器１によって加温し、希望温度の加温されたタオルが得られる。金網４によって、吊るされたタオル６が赤外線ヒーター５に直接触れない構造となっている。中の水蒸気は蒸気抜き穴１３によって排出される。水などが加温対象物から出てきた場合、水受け皿８で受け止め、適時、中の水を捨てる。転倒ＳＷ１１によって転倒時電源ＯＦＦする。開閉ＳＷ１２によって、上蓋が開かれた時、電源をＯＦＦする。温度ＳＷ１４によって、異常温度を検知して電源をＯＦＦする。
タオル６とは、タオル、ハンカチ、おしぼり、など加温する対象物を総称している。
また、本発明は縦型にヒーターを使用した構造であるが、横型にヒーターを使用した構造もある。
【００９】図の上蓋２を開け、ハンガー３に濡れたタオル６を吊下げ、上蓋２を閉める。温度調整器１によって希望の温度をセットすることによって加温タオルが得られる。
また、濡れたタオル６をハンガー３に吊下げ、加温することによって乾燥させることも可能である。
【符号の説明】
【００１０】１    温度調整器
２    上蓋
３    ハンガー
４    金網
５    赤外線ヒーター
６    タオル
７    本体
８    水受け皿
９    ベース台
１０  アルミ蒸着面
１１  転倒ＳＷ
１２  開閉ＳＷ
１３  蒸気抜き穴
１４  温度ＳＷ
【図１】
2014121506.tif 000003
【図２】
2014121506.tif 000004
【図３】
2014121506.tif 000005
(57)【要約】      （修正有）【課題】ごはんをかけ混ぜる際に湯気によって手持ち部分が滑りやすくなる問題を解決したしゃもじを提供する。【解決手段】しゃもじの手持ち部分に指穴を取り付けることによりグリップ力の向上を図り、子供や老人でも軽い力で持ちやすく滑りにくくした。【選択図】図１
2014121505.tif 000002
【特許請求の範囲】
【請求項１】
指リングしゃもじ
手持ち部分に人差し指から小指までの４本指で入る指穴リングが付いている。
よってしゃもじの全長も２３ｃｍ〜２４ｃｍと長めになっている。
【発明の詳細な説明】
【発明の概要】
【発明が解決しようとする課題】
【０００１】しゃもじを使用する際、湯気で手持ち部分が滑りやすくなり
ごはん等をかき混ぜる際、持ちにくくなることを解決するため考案した。
【課題を解決するための手段】
【０００２】従来の一般的なしゃもじの手持ち部分は滑りやすい形状になっているため
力を込めて握らなければならなかった。  そのため手持ち部分の構造を見直した。
【発明の効果】
【０００３】手持ち部分にハサミの指穴のようなグリップをつけたことにより、
子供や老人でも少ない力で、滑ることなくしゃもじを握って使用できる。
【図面の簡単な説明】
【０００４】
【図１】は全体図である。
【発明を実施するための形態】
【・・・・】
【実施例】
【・・・・】
【産業上の利用可能性】
【０００５】［添付図１］指リングしゃもじ
業務用の炊飯ジャーで炊き上げた大量のごはんをかき混ぜる際、
従来の一般的なしゃもじでは多量の湯気で手持ち部分が滑りやすくなる。
また、滑ったことによりしゃもじを落とすと不衛生でもある。
そのため、手持ち部分にハサミにあるような指穴をつけることで持ちやすくなるようグリップ力の向上を狙っている。
【符号の説明】
【０００６】
【・・・・】
【受託番号】
【・・・・】
【図１】
2014121505.tif 000003
(57)【要約】      （修正有）【課題】人に備っている手指の感触、両手の感覚と頭皮の感覚を活かし、きれいに上手に、そして簡単にひとりで散髪ができるようにする。【解決手段】指で髪をはさみ、電気かみそり器似の散髪器外刃に毛先を押し当てカットするものである、指で髪をはさみ、毛先をすぎる迄すべらせる事でその頭部の髪の長短を知ることができ、頭部全体をイメージし毛先よりカットしてゆく為、場所をえらばずどこでも簡単に、鏡がなくても一人で散髪ができる。【選択図】図１
2014121510.tif 000002
【特許請求の範囲】
【請求項１】
人に備っている指の感触と両手の感覚及び頭皮の感覚を活かして行う電気散髪器。指で髪をはさみ、その毛先迄指を軽くすべらす事で周辺の髪の長短を知ることができ、指ではさんだ髪の毛先を本発明の電気散髪器の外刃に押し当てカットするものである。両手の位置感覚と頭皮の感覚で頭部全体の髪の様子を知る事ができ、指の微妙な感触で部分カットもイメージどうりにできる。髪のカットは毛先を切りそろえる感じで行うため簡単に場所を選ばず鏡のない所でも手軽にできる。
【請求項２】
構造は電気かみそりに近く、外刃は肌に当る面とそれより少し窪み肌に直接当らない面の二つの面からなっている。回転式刃ではリング状に、移動式刃では列ごとに肌に当る面と当らない面が、交互に並びその外刃に指ではさんだ髪の毛先を押し当て、窪んでいる面の外刃でカットする。後一つは外刃を直接肌に当て窪んでいない面のひげそりに適した穴のあいた外刃でひげをそる。髪の毛先をカットする窪んでいる面の外刃の穴は、毛先を取り込みやすくする為それに適した大きめの穴となっている。散髪とひげそりの両方ができる。
【発明の詳細な説明】
【技術分野】
【０００１】本発明は人に備っている指の感触と両手及び頭皮の感覚を活かし鏡なしでも簡単に行える散髪器
【背景技術】
【０００２】従来は人に備っている感触や感覚を活かして行う散髪器はなかった。
【発明の開示】
【発明が解決しようとする課題】
【０００３】自からの髪を一人で上手にしかも簡単にできる散髪器はなかった。本発明はこれらの事を解決するためになされたものである。
【課題を解決するための手段】
【０００４】手の指で髪をはさみ、その先端をもう一方の手で持った本発明の外刃１０、１１に押し当てカットする、そのまま肌に軽く当てひげそりにもなる。
【発明の効果】
【０００５】指の感触と両手の感覚及び頭皮の感覚を活かし部分カットなども位置を定め的確にすることができる、刈り取った髪は吸引装置４で収納ケース３へ収納できる事で体を布で覆うなどの前準備の必要もなく気の付いた時、週に１回位ひげ剃の時、一緒にやる事ができ、時間も１〜２分でサッパリとした髪型を保つことができる。
【図面の簡単な説明】
【０００６】
【図１】本発明の断面図
【図２】毛くずの収納ケース（通気性良好）
【図３】外刃の断面図
【図４】内刃の斜視図
【符号の説明】
【０００７】１    外刃
２    内刃
３    通気性良好な毛くず収納ケース
４    毛くず収納用ファン
５    排気口
６    モーター
７    内刃とファンの駆動軸
８    蓄電池
９    毛くず収納ケース出入口ふた
１０  窪んでいないひげそり刃
１１  窪んでいる髪の毛先カット刃
【図１】
2014121510.tif 000003
【図２】
2014121510.tif 000004
【図３】
2014121510.tif 000005
【図４】
2014121510.tif 000006
【手続補正書】
【提出日】平成25年10月22日(2013.10.22)
【手続補正１】
【補正対象書類名】特許請求の範囲
【補正対象項目名】請求項１
【補正方法】変更
【補正の内容】
【請求項１】
人に備っている指の感触と両手の感覚及び頭皮の皮ふ感覚を生かし、指２本で髪をはさみ、毛先へ向けすべらす事で髪の長さがわかり、これを何回かくりかえすことで頭部各所の髪の長短を知ることができ、髪の毛先を本発明の外刃に押し当てカットするものである。バリカンとちがい毛先からカットし、刈り取った髪は吸引収納され後ですてる事ができる為、気軽に部分カットをする事ができるものである。
(57)【要約】【課題】膝の軟骨等の疾病予防、治療の器具とするもの。【解決手段】膝の内側に固定する１枕状物体、足首と大腿もしくは腰をつなぐ２ベルト、空気等流体を送る３ポンプ。膝の内側に１枕状物体を固定し、２ベルトにより足首と大腿もしくは腰をつなぐ。  １もしくは２、もしくは両方の内部に空気などを送ることで膝関節の引き伸ばしをする【選択図】図１
2014121508.tif 000002
【特許請求の範囲】
【請求項１】
（イ）  膝の内側にＡ方向に空気等の流動体で形状変化可能な袋もしくは一部袋を内蔵した柔軟な枕状物体１を挟む。
（ロ）  足首と大腿もしくは腰をベルト２でつなぐ。
（ハ）  ポンプ３で流動体を増量することで膝関節を伸ばす方向にこの力を働かせ、関節を引き伸ばす。
上記のごとく構成された膝関節の引き伸ばし装置。
【請求項２】
請求項１のベルト２の内側に袋を取り付けて流動体を入れ、流動体が増量したときベルトの内径が縮小して足首と大腿の距離を縮める方向に動作させることで請求項１と同様の効果を持たせること。その際は枕状物体の形状容積は固定でも可能である。
【請求項３】
請求項１もしくは２のポンプを自動で制御し、予めプログラムされた時間と圧力をして人体に最も最適な状態を作り出すこと。
【発明の詳細な説明】
【技術分野】
【０００１】本発明は膝関節の疾病予防と治療に関する器具に関するものである。
【発明の概要】
【発明が解決しようとする課題】
【０００２】膝関節の疾病予防と治療のため、関節部分を引き伸ばす手段が望ましいが、簡易にまた安全に膝関節を引き伸ばす装置を考えるとき、膝を伸ばした状態または座って直角程度に曲げた状態では重力もしくはその他動力を用い牽引する方法しか考えられなく、そうなれば装置費用も大きくなり使用者自身が一人使用することが難しい。また大がかりな装置では引っ張る力の調整が難しいため簡易な調整を備えた方法が望ましい・
【課題を解決するための手段】
【０００３】逆テコの原理もしくはテコの原理を用い、簡易なポンプで調節自在に圧力を変えることである。逆テコの原理は、請求項１の場合であり、膝関節が作用点、１枕状物体が力点、２ベルトが支点である。力点の力を減じて作用点に加えることになり、比較的安全な方法である。
ベルト２に力を加える請求項２の場合、通常のテコの原理となり、１枕状物体が支点、２ベルトが力点となる。より強く動作させるのに有効である。
【発明の効果】
【０００４】膝関節の引き伸ばしを疾病予防、もしくは疾病の治療として行うことを簡易にかつ安全に可能とする。
【図面の簡単な説明】
【０００５】
【図１】本発明を用いた横臥して人物の側面脚部（左足）
【図２】テコの説明図
【符号の説明】
【０００６】１  は枕状物体
２  はベルト
３  はポンプ
【図１】
2014121508.tif 000003
【図２】
2014121508.tif 000004
(57)【要約】      （修正有）【課題】味噌汁を作る際の味噌を溶かす機能や、落し蓋ペーパー、あぶら取りペーパーなどの機能を有する多用途おたまを提供する。【解決手段】おたまの持ち手部分にステンレス網を設け、網の付け根部分のボールに切れ込みを設け、ボール部に計量目盛を設けたので、灰汁取り、あぶら取り、味噌溶かしといった用途に使用できる。【選択図】図１
2014121504.tif 000002
【特許請求の範囲】
【請求項１】
図１、図２の３つの機能を請求する。
あぶら取り０．２ｃｍ−０．３ｃｍの切れ込み
灰汁取り、味噌溶かしの為の網の高さ３ｃｍ
図１と図３の網目や図２と図４の丸穴の網目の種類
【請求項２】
図３、図４の２つの機能を請求する。
図１とデザインは似ているが、網の高さが１．５ｃｍ低く、
あぶら取りと灰汁取りの専用おたまである。
【請求項３】
図５は図１〜図４の網の無い、
おたま上から０．６ｃｍ下に０．１ｃｍ−０．２ｃｍの切れ込みのある
あぶら取り用のおたま。
【請求項４】
図１〜図４の手持ち部分の２列型パイプ形状のデザイン
【請求項５】
図１〜図４のおたまは、本体の縁（ふち）に０．２ｃｍ−０．３ｃｍ溝のように切れ込みがある。
【発明の詳細な説明】
【発明の概要】
【発明が解決しようとする課題】
【０００１】あぶら取り、灰汁取り、味噌溶かし、計量目盛り
【課題を解決するための手段】
【０００２】鍋で料理する際の灰汁による吹きこぼれ防止と灰汁取り、
あぶら取り用の専用落し蓋ペーパーの価格が高いため、
経済的に衛生的にごみを減らし、多目的に価値観を広げ考案してみた。
また毎回味噌汁を作る際、味噌の塊を溶かすとき二重容器の仕様が不便なため
多用途おたま一つで、解決できる１石５鳥の効果を楽しめる商品である。
【発明の効果】
【０００３】落し蓋ペーパーとあぶら取りペーパーの使用費節約、ゴミを減らすことができる。
味噌を溶かす際の目盛りの利便性に多用途おたま一つで時間節約。
【図面の簡単な説明】
【０００４】添付図面にて各部詳細説明を記載します。
多用途おたまを［図１］から［図５まで］各前面図を添えて各部説明しています。
【発明を実施するための形態】
【・・・・】
【実施例】
【・・・・】
【産業上の利用可能性】
【０００５】［添付図１］多用途おたま
多用途おたま一つで、落し蓋ペーパーやあぶら取りペーパーの使用費節約
味噌汁を作る際に味噌を溶かすための道具節約、衛生的に簡易的である。
【符号の説明】
【０００６】
【・・・・】
【受託番号】
【・・・・】
【図１】
2014121504.tif 000003
【図１−１】
2014121504.tif 000004
【図２】
2014121504.tif 000005
【図２−１】
2014121504.tif 000006
【図３】
2014121504.tif 000007
【図３−１】
2014121504.tif 000008
【図４】
2014121504.tif 000009
【図４−１】
2014121504.tif 000010
【図５】
2014121504.tif 000011
【図５−１】
2014121504.tif 000012
【手続補正書】
【提出日】平成25年3月18日(2013.3.18)
【手続補正１】
【補正対象書類名】明細書
【補正対象項目名】０００４
【補正方法】変更
【補正の内容】
【０００４】
【図１】多用途おたまの各部説明である。
【図１−１】多用途おたまの全面図であり、おたま上部の全面図とそれぞれの網目の大きさを▲１▼の０．５ｃｍから▲１６▼０．３ｃｍで説明した図である。
【図２】多用途おたま丸網型の各部説明である。
【図２−１】多用途おたま丸網型の全面図であり、おたま上部の全面図とそれぞれの網目の大きさを▲１▼の０．５ｃｍから▲１６▼０．３ｃｍで説明した図である。
【図３】網の高さ低めの多用途おたまの各部説明である。
【図３−１】網の高さ低めの多用途おたまの全面図であり、おたま上部の全面図とそれぞれの網目の大きさを▲１▼の０．５ｃｍから▲１２▼の０．５ｃｍで説明した図である。
【図４】網の高さ低めの多用途おたま丸網型の各部説明である。
【図４−１】網の高さ低めの多用途おたま丸網型の全面図であり、おたま上部の全面図とそれぞれの網目の大きさを▲１▼の０．５ｃｍから▲１２▼の０．５ｃｍで説明した図である。
【図５】網のないタイプのあぶら取りおたまの図と、おたまを上部から見た図である。
【図５−１】図５の網のないタイプのあぶら取りおたまの図の各部符号の説明である。
(57)【要約】【課題】就寝時は部屋が暗いため起きてメガネをかけようとすると、置き場所が見つからなかったり、メガネを落としたりしていた。  本発明は、動きを感知してＬＥＤ電球を点灯させる焦電型赤外線センサーで明かりがつくことにより、暗いところでも視認できるメガネ置きを提供する。【解決手段】焦電型赤外線センサーとＬＥＤ電球２か所を設け、懐中電灯としても使用できるよう電池で構成される内蔵電源を擁するセンサー付きメガネ置き。【選択図】図１
2014121509.tif 000002
【特許請求の範囲】
【請求項１】
メガネ置き部に焦電型赤外線センサーとＬＥＤ電球を設け、他にＬＥＤ電球を別途取り付け懐中電灯としても使用できるよう電池で構成される内蔵電源を擁するセンサー付きメガネ置き。
【発明の詳細な説明】
【技術分野】
【０００１】    本発明は、メガネ置きに関するものである。
【背景技術】
【０００２】    従来、寝る時にメガネは枕元にじかに置いていた。
なお、従来は就寝時のメガネ置きとして（特許文献１）や風呂場でメガネを外した時のメガネ置き（特許文献２）が知られていたが、メガネを置いて、なおかつ人間の動きを感知して点灯するセンサーは付いていなかった。
【先行技術文献】
【特許文献】
【０００３】
【特許文献１】  特開２００２−３１５６１８号公報
【特許文献２】  特開２００６−１７５１８２号公報
【発明の概要】
【発明が解決しようとする課題】
【０００４】  就寝時は部屋が暗いため、起きてメガネをかけようとすると、置き場所が見つからなかったり、メガネを落としたりしていた。
本発明は、以上の問題を解決するためになされたものである。
【課題を解決するための手段】
【０００５】  メガネ置き部に焦電型赤外線センサーとＬＥＤ電球を設け、他にＬＥＤ電球を別途取り付け懐中電灯としても使用できるよう電池で構成される内蔵電源を擁するセンサー付きメガネ置き。
以上の構成によりなるセンサー付きメガネ置きである。
【発明の効果】
【０００６】  就寝時は部屋が暗いので視認することが不可能だったメガネの置き場所が、センサーに手をかざすことで明かりがつくことにより視認できるので、メガネの置き場所がすぐに分かり、メガネを落としたりせずスムーズにかけることができるようになる。
【図面の簡単な説明】
【０００７】
【図１】本発明の斜視図
【図２】本発明の断面図
【発明を実施するための形態】
【０００８】以下、本発明の実施の形態を説明する。
（イ）メガネとほぼ同等サイズの長方形の箱を２段構造にし、上段をメガネ置きとする。上段底部の中心に焦電型赤外線センサー（１）とそのすぐ脇にＬＥＤ電球Ａ（２）を設置することで、箱の上方から手をかざすことによって焦電型赤外線センサーがその動きを感知し、ＬＥＤ電球Ａ（２）が点灯する。なお、点灯したＬＥＤ電球Ａ（２）は数秒後に自動消灯する。
（ロ）長方形の箱の側面にＬＥＤ電球Ｂ（３）と、焦電型赤外線センサー（１）とＬＥＤ電球Ｂ（３）を切り替えることのできるスイッチ（４）を設置する。ＬＥＤ電球Ｂ（３）はスイッチにより電源を入れて、災害などの非常時に懐中電灯として使えるようにするものである。
（ハ）長方形の箱の下段内部に、電池によって構成される電源（５）を設置し、焦電型赤外線センサー（１）、ＬＥＤ電球Ａ（２）、ＬＥＤ電球Ｂ（３）、スイッチ（４）をそれぞれ接続する。電源は非常用に持ち運びができるように家庭用コンセントではなく、電池を用いる。
本発明は以上のような構造である。
本発明を使用するときは、スイッチ（４）を焦電型赤外線センサーが作動するように切り替えて、メガネを長方形の箱の上段部に置く。部屋を暗くした状態で焦電型赤外線センサー（１）の上方に手をかざすことにより、焦電型赤外線センサー（１）が手の動きを感知し、ＬＥＤ電球Ａ（２）が点灯する。それによりメガネの正確な位置を視認することができる。なお、ＬＥＤ電球Ａ（２）は数秒が経過すると自動的に消灯し、作動待機状態になる。
もう一つの使用法として、災害時の非常用に懐中電灯として使用する場合は、スイッチ（４）を切り替えてＬＥＤ電球Ｂ（３）を常時点灯させるようにする。
【符号の説明】
【０００９】１  焦電型赤外線センサー、２  ＬＥＤ電球Ａ、３  ＬＥＤ電球Ｂ、４  スイッチ、
５  電源
【図１】
2014121509.tif 000003
【図２】
2014121509.tif 000004